(57)【特許請求の範囲】
【請求項１】
ミシンの上糸供給源から天秤に至る上糸経路中に設けられ、上糸に張力を付与する為の上糸張力付与装置において、
上糸に張力を与えその張力の調整操作が可能な主張力付与機構と、この主張力付与機構よりも上糸供給源側に設けられベース板と張力付与板との間に介在させたスペーサを介してベース板と張力付与板との間に糸通過隙間を形成した副張力付与機構とを備え、
前記副張力付与機構に、張力付与板をベース板の方へ弾性付勢する付勢機構と、この付勢機構に設けられた張力調整機構とを設け、
前記付勢機構の第１の付勢力入力部を張力付与板のうちの糸通過隙間の上糸経路を形成する部分の少なくとも一部に当接させたことを特徴とするミシンの上糸張力付与装置。
【請求項２】
前記付勢機構は、第１の付勢力入力部から上糸経路と略直交する方向へ離隔して位置する第２の付勢力入力部を有することを特徴とする請求項１に記載のミシンの上糸張力付与装置。
【請求項３】
前記第１の付勢力入力部は、張力調整機構の調整ビスからなることを特徴とする請求項１又は２に記載のミシンの上糸張力付与装置。
【請求項４】
前記ベース板は上糸を案内する案内用切欠き穴を有し、この案内用切欠き穴の奥端から糸通過隙間に入る上糸を徐々にベース板側へ導く為の傾斜ガイド部を張力付与板に形成したことを特徴とする請求項１〜３の何れか１項に記載のミシンの上糸張力付与装置。
【請求項５】
前記付勢機構は、第１，第２の付勢力入力部を張力付与板の方へ付勢するコイルスプリングを有することを特徴とする請求項１〜４の何れか１項に記載のミシンの上糸張力付与装置。
【発明の詳細な説明】
【０００１】
【発明の属する技術分野】
本発明は、上糸供給源から天秤に至る上糸経路中に設けられ上糸に張力を付与する為のミシンの上糸張力付与装置に関し、特に主張力付与機構（糸調子機構）の上流側に副張力付与機構を設け、この副張力付与機構に張力調整機構を設けたものに関する。
【０００２】
【従来の技術】
一般に、ミシンでは糸駒から天秤に至る上糸経路中に糸調子皿を含む主張力付与機構を設けて上糸に張力を付与するように構成してある。この主張力付与機構ではその調整ダイアルを操作して張力を調整可能になっている。ところで、一般に太い上糸を使用するときには下糸との張力のバランスをとるため、生地の厚さに応じた適切な糸調子とするために、細い上糸を使用する場合と比較して上糸の張力を大きく設定しなければならない。
【０００３】
前記主張力付与機構の調整ダイアルを操作することで、上糸の張力を上糸の太さに応じて調整可能ではあるが、この主張力付与機構よりも上流側に副張力付与機構を設けて上糸に抵抗を付加することで、上糸張力の調整を殆ど省略したり調整の頻度を少なくする技術が提案されている。
例えば、実開平５−３９４７８号公報に記載のミシンの上糸張力付与装置においては、副張力付与機構に、ベース板、板バネ状の押え板、これらの間に挟着された薄いスペーサ、ベース板と押え板の間にスペーサを介して形成された糸通過隙間などを設け、ベース板にスペーサと押え板とをかしめピンにて固定し、その他細かな工夫を施し、太い上糸が通過する際にはベース板と押え板とで上糸に抵抗を付与する一方、スペーサの厚さ位の直径の細い上糸が通過する際には上糸に殆ど抵抗を付与しないように構成してある。
【０００４】
一方、実開平２−４５７４号公報に記載のミシンの上糸テンション装置では、糸調子皿のすぐ下流側に、固定板に板バネからなる押えバネを重ねてそれらの間に上糸の糸通過隙間を形成し、調整ネジにより糸通過隙間の大きさを調整し、上糸の張力を調整可能に構成してある。
【０００５】
【発明が解決しようとする課題】
前記実開平２−４５７４号公報の上糸テンション装置では、押えバネの板厚が0.2 ｍｍ程度と薄いため、その押えバネをバネ定数の大きな材質で構成する必要があるだけでなく、糸通過隙間の設定に極めて高い寸法精度が要求される。しかも、調整ネジが１本しかなく、固定板と押えバネ間の糸通過隙間は断面楔形状の隙間となるため上糸の通過位置が変動すると上糸に作用する抵抗が変動するため上糸張力を安定させることが困難である。
【０００６】
前記実開平５−３９４７８号公報の副張力付与機構においては、押え板として0.6 ｍｍ程度のステンレス板を適用するものの、薄い板バネ状の押え板により糸通過隙間を設定するため、糸通過隙間の設定に極めて高い製作精度が要求される。そして、この副張力付与機構には、糸通過隙間の大きさ又は押え板の弾性付勢力を調整する機構がないので、製作誤差等に起因する張力のバラツキがあっても上糸張力を調整することができず、上糸張力を安定させることが難しい。
【０００７】
また、薄い板バネ状の押え板で上糸に抵抗を付加する構造であるうえ、糸通過隙間の長さが短いため、上糸に十分大きな抵抗を付加できず、上糸張力を高めるには限度がある。例えば、太い上糸の場合には60〜90ｇｆ程度の張力を付与するのが望ましいが、実際には20〜40ｇｆ程度の張力しか付与できなかった。しかも、糸通過隙間を通過中の糸に撚りがあると張力が大きく変動するが、従来の副張力付与機構では、上糸の撚りを解消する為の対策が殆ど講じられていない。
【０００８】
本発明の目的は、副張力付与機構において上糸に付与する張力を安定させること、その張力を強くし且つ調整可能にすること、糸通過隙間よりも上流側で糸の撚りを極力解消すること、等である。
【０００９】
【課題を解決するための手段】
請求項１のミシンの上糸張力付与装置は、ミシンの上糸供給源から天秤に至る上糸経路中に設けられ、上糸に張力を付与する為の上糸張力付与装置において、上糸に張力を与えその張力の調整操作が可能な主張力付与機構と、この主張力付与機構よりも上糸供給源側に設けられベース板と張力付与板との間に介在させたスペーサを介してベース板と張力付与板との間に糸通過隙間を形成した副張力付与機構とを備え、前記副張力付与機構に、張力付与板をベース板の方へ弾性付勢する付勢機構と、この付勢機構に設けられた張力調整機構とを設け、前記付勢機構の第１の付勢力入力部を張力付与板のうちの糸通過隙間の上糸経路を形成する部分の少なくとも一部に当接させたことを特徴とするものである。
【００１０】
この上糸張力付与装置では、糸供給源から出た上糸が上糸経路を通って天秤に至る間に、最初に副張力付与機構により上糸に張力が付与され、次に主張力付与機構により上糸に張力が付与される。主張力付与機構で付与する張力は調整操作可能である。副張力付与機構においては、ベース板と張力付与板との間に介在させたスペーサを介してベース板と張力付与板との間に糸通過隙間が形成され、付勢機構により張力付与板がベース板の方へ弾性付勢されているため、糸通過隙間を通る上糸にベース板と張力付与板とで抵抗が付加され張力が付与される。付勢機構に設けられた張力調整機構により、付勢機構の弾性付勢力を調整することで上糸の張力を調整できる。即ち、付勢力を強化すると張力が増大し、付勢力を弱めると張力が減少する。
【００１１】
ここで、前記付勢機構の第１の付勢力入力部を張力付与板のうちの糸通過隙間の上糸経路を形成する部分の少なくとも一部に当接させてあるため、張力付与板の変形や製作誤差等の影響を受けることなく、第１の付勢力入力部から張力付与板のうちの糸通過隙間の上糸経路を形成する部分の少なくとも一部に弾性付勢力が入力され、その付勢力が上糸に伝達されるため、上糸に作用する抵抗を強めるとともに安定させ上糸の張力を強めるとともに安定させることができ、張力付与板の製作精度の要求も緩和されて有利になる。
【００１２】
請求項２のミシンの上糸張力付与装置は、請求項１の発明において、前記付勢機構は、第１の付勢力入力部から上糸経路と略直交する方向へ離隔して位置する第２の付勢力入力部を有することを特徴とするものである。それ故、付勢機構の第１，第２付勢力入力部から張力付与板に付勢力が入力されても、張力付与板とベース板とが平行に保持され、張力付与板がベース板に対して傾くことがないから、糸通過隙間を通過する上糸の位置が変動しても、上糸に作用する抵抗が変動ぜず上糸張力が安定する。その他請求項１と同様の作用を奏する。
【００１３】
請求項３のミシンの上糸張力付与装置は、請求項１又は２の発明において、前記第１の付勢力入力部は、張力調整機構の調整ビスからなることを特徴とするものである。第１の付勢力入力部を張力調整機構の調整ビスとは別に形成する場合と比較し、構成が簡単化する。その他請求項１又は２と同様の作用を奏する。
【００１４】
請求項４のミシンの上糸張力付与装置は、請求項１〜３の何れか１項の発明において、前記ベース板は上糸を案内する案内用切欠き穴を有し、この案内用切欠き穴の奥端から糸通過隙間に入る上糸を徐々にベース板側へ導く為の傾斜ガイド部を張力付与板に形成したことを特徴とするものである。それ故、案内用切欠き穴の奥端から糸通過隙間に入る上糸が、直ちにベース板側へ屈曲させられると、上糸の撚りが残存したまま糸通過隙間へ導入され、上糸の張力が乱れる原因になる。しかし、案内用切欠き穴の奥端から糸通過隙間に入る上糸が、張力付与板の傾斜ガイド部で徐々にベース板側へ導かれるため上糸の撚りが解消し易くなる。その他請求項１〜３の何れか１項と同様の作用を奏する。
【００１５】
請求項５のミシンの上糸張力付与装置は、請求項１〜４の何れか１項の発明において、前記付勢機構は、第１，第２の付勢力入力部を張力付与板の方へ付勢するコイルスプリングを有することを特徴とするものである。板バネと比較し、コイルスプリングの方が弾性力を強化する上で有利であり、弾性付勢力を調整する面でも有利である。その他請求項１〜４の何れか１項と同様の作用を奏する。
【００１６】
【発明の実施の形態】
以下、本発明の実施の形態について図面を参照して説明する。
図１、図２には、ミシンのアーム部の上面部分の上蓋２に設けた上糸張力付与装置１と、ミシンの押え足を上昇位置と下降位置とに切換える切換えレバー３とが図示されている。この張力付与装置１は、ミシンの上糸供給源としての糸駒４から天秤に至る上糸経路中に設けられている。
【００１７】
上糸張力付与装置１は、糸調子皿２１を含む主張力調整機構１０と、この主張力調整機構１０よりも糸駒４側に設けられた副張力調整機構２０とからなる。
主張力調整機構１０は、糸調子皿１１と調整ダイヤル１２とを有し、糸調子皿１１は固定側調子皿１１ａ及び可動側調子皿１１ｂと、可動側調子皿１１ｂを固定側調子皿１１ａの方へ弾性付勢するコイルバネ１３と、軸部材と、調整ダイヤル１２等を含み、調整ダイヤル１２を回動操作することでコイルバネ１３の付勢力を調整して上糸５に付与する抵抗を調整し上糸５の張力を調整できるように構成してある。調整ダイヤル１２の前面の外周部には、張力の強さを示す１，２，３・・・・９のダイアル目盛りが印されている。ダイアル目盛りが大きくなる程張力が強くなるが、ダイアル目盛り「４」は中細の太さの上糸５に適した標準的な張力となる。
【００１８】
副張力調整機構２０は、細い上糸から中細の上糸（＃９０〜＃６０の上糸）に対しては張力を殆ど付与せず、中細以上の太い上糸（＃３０程度の上糸）に対して張力を付与して、太い上糸５の張力を強化する為のものである。
この副張力調整機構２０について図２〜図８を参照して詳細に説明する。
副張力調整機構２０は、上蓋２に固定されたベース板２１と、張力付与板２２と、ベース板２１と張力付与板２２との間に挟着されて上糸通過隙間２４を形成する例えば厚さ0.2 ｍｍの金属板からなるスペーサ２３と、張力付与板２２をベース板２１の方へ弾性付勢する付勢機構２５と、この付勢機構２５に設けられた張力調整機構２６と、付勢機構２５の付勢を解除する為のリンク部材２７等を有する。
【００１９】
前記ベース板２１は、例えば厚さ約1.0 ｍｍの金属板を成形加工したもので、そのベース板本体部２１ａが上蓋２の左端部に鉛直姿勢に配設され、このベース板本体部２１ａの下端から右方へ延びる取付け部２１ｂとフランジ部２１ｃとが一体形成され、ベース板２１の前端部の上部にはフランジ部２１ｄが一体形成され、取付け部２１ｂが複数のビスにより上蓋２に固定されている。
【００２０】
ベース板２１の後部には、上糸５を案内する案内用切欠き穴２８が後端開放状に形成され、その案内用切欠き穴２８の奥端は円形状に拡大し、上糸５は案内用切欠き穴２８の奥端から上糸通過隙間２４内へ導入される。
付勢機構２５は、ベース板２１のベース板本体部２１ａとフランジ部２１ｃとに移動可能に挿通された左右方向向きの水平なロッド２９と、張力付与板２２の左側に大部分が位置するとともにロッド２９の先端部に固着された押え金具３０と、ロッド２９に外装され止め輪を介してロッド２９を右方へ弾性付勢する圧縮コイルスプリング３１等を有する（図５〜図７参照）。
【００２１】
ベース板２１の後部には、張力付与板２２とスペーサ２３とを支持する為に、水平な左右方向向きのピン３２が左方へ突出状に固定されている。張力付与板２２は、例えば厚さ0.6 ｍｍのステンレス板からなり、その前半部をなす張力付与部２２ａと、張力付与部２２ａの後端に連なる傾斜ガイド部２２ｂと、傾斜ガイド部２２ｂの後端に連なる後半支持部２２ｃとを一体形成してある。張力付与部２２ａにはロッド２９が相対移動自在に挿通するロッド穴が形成され、後半支持部２２ｃにはピン３２が相対移動自在に挿通するピン穴が形成され、張力付与板２２はピン３２とロッド２９とに左右方向へ移動自在に支持されている。
【００２２】
図５〜図７に示すように、張力付与板２２の張力付与部２２ａは、スペーサ２３と平行で且つ下半部がスペーサ２３の左面に当接し得る状態に配置され、張力付与部２２ａの上部とベース板本体部２１ａとの間には、スペーサ２３の厚さとほぼ等しい幅の糸通過隙間２４が形成されている。傾斜ガイド部２２ｂは、案内用切欠き穴２８の奥端から糸通過隙間２４に入る上糸５を徐々にベース板本体部２１ａの方へ導いて上糸５の撚りを解消する為のもので、この傾斜ガイド部２２ｂは後方程ベース板本体部２１ａから離隔するように傾斜している。
【００２３】
スペーサ２３にはピン３２が相対移動自在に挿通するピン穴と、ロッド２９が相対移動自在に挿通するロッド穴とが形成され、スペーサ２３は張力付与部２２ａの下半部とほぼ同形状をなし、ベース板２１と張力付与部２２ａとの間に配設され、ピン３２とロッド２９とに支持され、図６に示すようにスペーサ２３は、糸通過隙間２４のうちのほぼ水平な上糸経路２４ａよりも下側に位置している。
【００２４】
付勢機構２５において、押え金具３０の被ガイド部３０ａがベース板本体部２１ａの切欠き部３３に挿通されて左右方向へ移動自在に案内され、押え金具３０の上部には、左右方向向きの水平な調整ビス３４の為のネジ穴３５と、このネジ穴３５に螺合された調整ビス３４とからなる張力調整機構２６が設けられ、調整ビス３４の右端部である第１の付勢力入力部３４ａが、張力付与板２２の張力付与部２２ａのうちの糸通過隙間２４の上糸経路２４ａを形成する部分の少なくとも一部に当接している。
【００２５】
押え金具３０の下部には、第１の付勢力入力部３４ａから上糸経路２４ａとほぼ直交する方向へ（下方へ）離隔して位置し張力付与部２２ａに当接する第２の付勢力入力部３０ｂが形成され、この第２の付勢力入力部３０ｂは押え金具３０に形成したエンボス部で構成されている。前記リンク部材２７の中段部は、前後向きのピン２７ａでミシン機枠に回動自在に枢支され、リンク部材２７の下端部はミシンの押え足の位置を切換える押え上げレバー３に連動連結され、図４に示すように、押え上げレバー３を上げると、リンク部材２７が鎖線の位置に回動してロッド２９を左方へ押動させるため、張力付与板２２が付勢されなくなる。その状態で、副張力付与機構２０の制約を受けずに上糸５を掛けることができる。
【００２６】
以上の張力付与装置１、特に副張力付与機構２０の作用、効果について説明する。主張力付与機構１０の操作ダイアル１２を操作すると、ダイアル目盛りに比例的にコイルバネ１３の付勢力が増すため、上糸５にはダイアル目盛りに略比例する張力が付与される。この主張力付与機構１０の張力付与特性は、例えば図９の特性線Ａのようになっている。
【００２７】
副張力付与機構２０において、コイルスプリング３１とロッド２９により押え金具３０が右方へ付勢され、第１、第２の付勢力入力部３４ａ，３０ｂが張力付与板２２を右方へ弾性付勢し、ベース板本体部２１ａと、スペーサ２３と、張力付与板２２の張力付与部２２ａとを密着状態に保持している。ベース板２１と張力付与板２２との間にスペーサ２３を介在させて糸通過隙間２４が形成され、付勢機構２５により張力付与板２２がベース板２１の方へ弾性付勢されているため、糸通過隙間２４を通る上糸５にベース板２１と張力付与板２２とで抵抗が付加され、上糸５の太さに応じた張力が付与される。
【００２８】
そして、糸通過隙間２４の前後長を大きく形成してあるため、従来の装置に比較して上糸５に大きな抵抗を付与でき、上糸５の張力を増大させることができる。調整ビス３４により、付勢機構２５の弾性付勢力を調整することで張力付与板２２の微少弾性変形を介して上糸５の張力を調整できる。付勢力を強化すると張力が増大し、付勢力を弱めると張力が減少する。
【００２９】
例えば、調整ビス３４の突出量を第２の付勢力入力部３０ｂの突出量と略同程度に調整したものとすると、細い上糸５や中細の上糸５にはベース板２１と張力付与板２２とから抵抗が殆ど作用せず、中細以上の太さの上糸５には、太さの増大に応じた抵抗が作用するようになるので、上糸５の張力は例えば図９の特性線Ｂのようになる。特性線Ａから特性線Ｂへの張力増加分が、副張力付与機構２０で付与する張力に相当する。しかも、調整ネジ３４を微少に締め込むことで、特性線Ｂを上方へ移動させて張力を一層強くすることもできるし、その反対に調整ネジ３４を微少に緩めることで、特性線Ｂを下方へ移動させることもできる。従って、中細以上の太さの上糸５で縫製する際には、操作ダイアル１２を殆ど操作しなくとも、上糸５の張力が自動的に調整されるため縫製能率が向上する。
【００３０】
ここで、第１の付勢力入力部３４ａを張力付与板２２のうちの上糸経路２４ａを形成する部分の少なくとも一部に当接させてあるため、張力付与板２２の製作誤差等の影響を受けることなく、第１の付勢力入力部３４ａから張力付与板２２のうちの上糸経路２４ａを形成する部分の少なくとも一部に弾性付勢力が入力され、その付勢力が上糸５に伝達されるため、上糸５に作用する抵抗を安定させ、上糸５の張力を安定させることができ、張力付与板２２の製作精度の要求も緩和されて有利になる。
【００３１】
第１の付勢力入力部３４ａから上糸経路２４ａと略直交する方向へ離隔して位置する第２の付勢力入力部３０ｂを設けたので、第１，第２付勢力入力部３４ａ，３０ｂから張力付与板２２に付勢力が入力されても、張力付与板２２とベース板２１とが平行に保持され、張力付与板２２がベース板２１に対して殆ど傾くことがないから、糸通過隙間２４を通過する上糸５の位置が上下に変動しても、上糸５に作用する抵抗が変動ぜず上糸張力が安定する。
【００３２】
第１の付勢力入力部３４ａを調整ビス３４で構成したので、第１の付勢力入力部３４ａを調整ビス３４とは別に形成する場合と比較し、構成が簡単化する。ベース板２１の案内用切欠き穴２８の奥端から糸通過隙間２４に入る上糸５を徐々にベース板２１側へ導く為の傾斜ガイド部２２ｂを張力付与板２２に形成したので、上糸５の撚りが解消し易くなる。即ち、案内用切欠き穴２８の奥端から糸通過隙間２４に入る上糸５が、直ちにベース板２１側へ屈曲させられると、上糸５の撚りが残存したまま糸通過隙間２４へ導入され、上糸５の張力が乱れる原因になるが、上糸５が傾斜ガイド部２２ｂで徐々にベース板２１側へ導かれるため、上糸５の撚りが解消し易くなり、上糸５の張力が安定する。
【００３３】
前記付勢機構２５は、第１，第２の付勢力入力部３４ａ，３０ｂを張力付与板２２の方へ付勢するコイルスプリング３１を有するので、板バネと比較し、弾性力を強化する上で有利であり、弾性付勢力を微妙に調整する面でも有利である。
【００３４】
但し、ここで、前記実施形態では、張力付与板２２やベース板２１とスペーサ２３とを別部材で構成したが、スペーサ２３を張力付与板２２またはベース板２１に予め固着しておいてもよい。前記張力付与板２２やスペーサ２３の厚さは一例を示すものに過ぎず、ミシンの機種や用途に応じてそれらの厚さを適宜設定することができる。尚、前記実施形態は一例を示すものに過ぎず、各部材の形状、サイズ等については、本発明の趣旨を逸脱しない範囲において適宜変更を付加して実施できることは勿論である。
【００３５】
【発明の効果】
請求項１の発明によれば、副張力付与機構に、張力付与板をベース板の方へ弾性付勢する付勢機構を設け、この付勢機構に張力調整機構を設けたので、上糸の張力を調整することができ、それ故張力付与板やベース板の製作精度の要求が緩和されて有利になる。
【００３６】
しかも、付勢機構の第１の付勢力入力部を張力付与板のうちの糸通過隙間の上糸経路を形成する部分の少なくとも一部に当接させてあるため、張力付与板の変形や製作誤差等の影響を受けることなく、第１の付勢力入力部から張力付与板のうちの糸通過隙間の上糸経路を形成する部分の少なくとも一部に弾性付勢力が入力され、その付勢力が上糸に伝達されるため、上糸に作用する抵抗を強めるとともに安定させ、上糸の張力を強めるとともに安定させることができる。また、張力付与板の製作精度の要求が緩和されて有利になる。
【００３７】
請求項２の発明によれば、前記付勢機構は、第１の付勢力入力部から上糸経路と略直交する方向へ離隔して位置する第２の付勢力入力部を有するので、付勢機構の第１，第２付勢力入力部から張力付与板に付勢力が入力されても、張力付与板とベース板とが平行に保持され、張力付与板がベース板に対して傾くことがないから、糸通過隙間を通過する上糸の位置が変動しても、上糸に作用する抵抗が変動ぜず上糸張力が安定する。その他請求項１と同様の効果を奏する。
【００３８】
請求項３の発明によれば、前記第１の付勢力入力部は、張力調整機構の調整ビスからなるので、第１の付勢力入力部を張力調整機構の調整ビスとは別に形成する場合と比較し、構成が簡単化する。その他請求項１又は２と同様の効果を奏する。
【００３９】
請求項４の発明によれば、前記ベース板は上糸を案内する案内用切欠き穴を有し、この案内用切欠き穴の奥端から糸通過隙間に入る上糸を徐々にベース板側へ導く為の傾斜ガイド部を張力付与板に形成したので、案内用切欠き穴の奥端から糸通過隙間に入る上糸が、張力付与板の傾斜ガイド部で徐々にベース板側へ導かれるため、上糸の撚りが解消し易くなり、その結果上糸張力が安定性し易くなる。その他請求項１〜３の何れか１項と同様の効果を奏する。
【００４０】
請求項５の発明によれば、前記付勢機構は、第１，第２の付勢力入力部を張力付与板の方へ付勢するコイルスプリングを有するので、板バネと比較し、コイルスプリングの方が弾性力を強化する上で有利であり、弾性付勢力を調整する面でも有利である。その他請求項１〜４の何れか１項と同様の効果を奏する。
【図面の簡単な説明】
【図１】本発明の実施形態のミシンの張力付与装置等の斜視図である。
【図２】張力付与装置の斜視図である。
【図３】張力付与装置の副張力付与機構の平面図である。
【図４】副張力付与機構等の正面図である。
【図５】副張力付与機構の拡大平面図である。
【図６】副張力付与機構の拡大左側面図である。
【図７】副張力付与機構の拡大正面図である。
【図８】図６のVIII−VIII線断拡大図である。
【図９】張力付与装置の張力付与特性を示す線図である。
【符号の説明】
１          上糸張力付与装置
４          糸駒
５          上糸
１０        主張力付与機構
１２        操作ダイアル
２０        副張力付与機構
２１        ベース板
２２        張力付与板
２２ｂ      傾斜ガイド部
２３        スペーサ
２４        糸通過隙間
２４ａ      上糸経路
２５        付勢機構
２６        張力調整機構
２８        切欠き案内穴
３０        押え金具
３０ｂ      第２の付勢力入力部
３１        コイルスプリング
３４        調整ビス
３４ａ      第１の付勢力入力部
【図１】
0003861954.tif 000002
【図２】
0003861954.tif 000003
【図３】
0003861954.tif 000004
【図４】
0003861954.tif 000005
【図５】
0003861954.tif 000006
【図６】
0003861954.tif 000007
【図７】
0003861954.tif 000008
【図８】
0003861954.tif 000009
【図９】
0003861954.tif 000010